(57)【要約】      （修正有）【課題】外部からの配管、配線がなく、小型、軽量かつ安価な液体循環式冷却衣服を提供する。【解決手段】冷却実施部分となる、冷却液の流路において樹脂材料を貼り合せにより形成した樹脂パッド３を用い、チューブやパイプ管の縫製または組み付け工程の削減によるコストダウンを実現するとともに、樹脂パッド３位置の選択による冷却箇所の選定や樹脂パッド３の着脱によるメンテナンス性を改善した液体循環式冷却衣服を実現する。【選択図】図１
0003212335.tif 000002
【実用新案登録請求の範囲】
【請求項１】
衣服に冷却液が通る流路を樹脂材料の貼り合せにより形成した樹脂パッドを搭載し、冷却液の循環のための循環装置と循環装置を駆動する電源と冷却液を収納するタンクにより構成される液体循環式冷却衣服。
【請求項２】
前記樹脂パッドは、冷却能力の低減を防ぐ為、流路において冷却部の接触側の樹脂パットの厚さを１．０ｍｍ以下としたことを特徴とする請求項１記載の液体循環式冷却衣服。
【請求項３】
衣服には、前記樹脂パッドを挿入可能な区画が１つ又は複数箇所あり、用途に応じて冷却箇所の選定及び着脱が可能となることを特徴とする請求項１記載の液体循環式冷却衣服。
【考案の詳細な説明】
【技術分野】
【０００１】  本考案は炎天下や熱所作業場での高温環境下において、涼しく、快適に長時間を過ごすための冷却衣服に関するものである。
【背景技術】
【０００２】  高温環境下での作業者の熱中症の防止及び快適に過ごせる環境の改善が求められている。また、前記対策品は、作業者が使用するため、外部からの配管、配線がなく、小型、軽量かつ安価なものが求められている。【０００３】  前記対策の一つとして、ファン等により外気を体内に送り込み冷却を行う方式があるが、外気温が４０℃を超えるような高温環境下では効果が少なく、快適な作業が行えない。また、保冷剤を服の中に付けて冷却を行う方式があるが、保冷剤の解凍により冷却効果が持続しないという課題がある。そのため４０℃を超えるような高温環境下での冷却方式は冷却液の循環による方式が考えられており、衣服等での前記循環方式による冷却実施部分はチューブやパイプ管等の取り付けにより実施されている。
【先行技術調査】
【０００４】
【特許文献１】特開２０１５−１４５５４１
【特許文献２】特開平６−１２７４８７
【考案の概要】
【考案が解決しようとする課題】
【０００５】  しかしながら、先行技術等で用いられる液体循環の方式では、衣服等の冷却実施部分に冷却液循環のためチューブやパイプ管の取り付けが必要となり、チューブの縫製やパイプ管等の組み付け工程によるコストＵＰの課題があった。【０００６】  また、冷却実施部分は、チューブやパイプ管の配管位置に依存するため、衣服等に固定すると、用途に合わせて冷却箇所の変更が出来ないという課題や、冷却実施部分の交換などのメンテナンス性が良くないという課題があった。
【課題を解決するための手段】
【０００７】  前述の課題を解決するために、第一の考案は、衣服等における冷却実施部分となる冷却液の流路において、樹脂材料を貼り合せにより形成した樹脂パッドを用い、課題のコストＵＰの要因となるチューブやパイプ管の縫製または組み付け工程の削減を実現し、冷却液の循環のための循環装置と循環装置を駆動する電源と冷却液を収納するタンクにより構成される液体循環式冷却衣服とした。【０００８】  第二の考案は、前記樹脂パッドの流路において、人体または肌着と接触する冷却部の接触側の厚さを１．０ｍｍ以下とする事により、樹脂素材の断熱による冷却効果の低下を抑え、冷却効果を向上させることを実現する。【０００９】  第三の考案は、前記衣服には、前記樹脂パッドを着脱可能な区画が１つ又は複数箇所あり、用途に応じて冷却箇所の選択が可能となり、また洗濯時の脱着や樹脂パット交換のメンテナンス性が容易となることにより課題にある作業性の問題点を解決している。
【考案の効果】
【００１０】  上述のように、液体循環式の冷却衣服において、冷却実施部分となる、冷却液の流路において樹脂材料を貼り合せにより形成した、樹脂パッドを用いることで、従来技術の課題のコストＵＰとなるチューブやパイプ管の縫製または組み付け工程の削減によるコストダウンが可能となる。また、用途に応じて冷却箇所の選定が可能となり、衣服より着脱も可能なため洗濯時の着脱や樹脂パッド交換等のメンテナンス性を容易にすることが可能となる。
【図面の簡単な説明】
【００１１】
【図１】本考案の液体循環式冷却衣服の実施例を示す正面図である。
【図２】本液体循環式冷却衣服に使用する樹脂パッドの実施例を示す正面図である。
【図３】本液体循環式冷却衣服に使用する樹脂パッドの流路の実施例を示す断面図である。
【考案を実施するための形態】
【００１２】  衣服本体の内側生地に冷却液が通る流路となる樹脂パッド収納するための樹脂パッド収納袋を設け、前記樹脂パッド収納袋内に樹脂材料の貼り合せにより形成された樹脂パッドを挿入し、衣服本体に搭載する。また、冷却液循環のため循環装置と循環装置を駆動する電源と冷却液を収納するタンクを構成し、前記衣服本体に搭載した樹脂パッドとの接続は配管チューブにより実施する。また複数枚の樹脂パッドにより流路を形成する場合、樹脂パッド間も配管チューブにより接続を実施する。
【００１３】  前記により構成された液体循環式冷却衣服において、タンク内の冷却液を循環装置の駆動により、衣服に搭載した樹脂パッド内の流路を通し、樹脂パッドの冷却部の接触側が人体または肌着に接触することで人体の冷却を実施する。
【実施例】
【００１４】  以下、添付図面に従って実施例を説明する。図１の１はベスト状であり、速乾性、伸縮性のあるポリエステル等適時素材にて形成された衣服本体、１ａは衣服内側生地であり、人体または肌着と接触する面である。衣服内側生地１ａの素材は前記衣服本体１と同様のものである。【００１５】  本考案の適用できる衣服形状は、ベスト状以外でも長袖、半袖等の袖ありの衣服形状や、首、頭部、足の付け根等の局部用としてマフラーやスカーフ状、帽子状、パンツ状等の衣服にも適用可能である。【００１６】  図１の２は前記衣服本体１の衣服内側生地１ａに設けられ、冷却液が通る流路となる樹脂パッドを収納するための樹脂パッド収納袋であり、冷却の妨げにならないようにメッシュ等の通気性のよい形状で形成されている。本実施例では冷却効果が高いと考えられる首、左右脇の３ヶ所に樹脂パッドを収納可能な構成としている。【００１７】  図１の３は冷却液が通る流路を樹脂材料の貼り合せにより形成した樹脂パッドであり、樹脂材料にはウレタンまたは塩化ビニール素材等を使用し、貼り合せには溶着または接着により実現する。また樹脂パッド３の人体または肌着と接触する冷却部の接触側の厚さは１．０ｍｍ以下とし、樹脂素材の断熱による冷却効果の低下を抑え、冷却効果を向上させることを実現する。【００１８】  また図２は前記樹脂パッド３の実施例であり、９は接続コネクタ８を接続するために樹脂パッドの出入口に貼り合せにより固定された樹脂チューブである。貼り合せ方法は樹脂材料と同様に溶着または接着により実現する。【００１９】  図１の４は配管チューブであり、樹脂パッド間や樹脂パッドと循環装置５、タンク７間の流路形成のために使用する。形成する流路は循環装置５とタンク７と樹脂パッド３において循環するように接続し、接続には接続コネクタ８を使用する。接続コネクタ８は配管チューブ４を抜き差し可能なものであり、用途により流路の選定し、局部の冷却への変更や循環冷却を使用しないときに循環装置５、タンク７との切り離しを可能とし、使用者の用途に応じて選択可能なものとする。【００２０】  図１の５は冷却液を循環するための循環装置であり、使用者の携帯性を考慮し、装置は小型ポンプが望ましい。なおポンプ方式は長い配管で液体を送る必要があるため高吐出圧かつ自給による吸上げが可能となるチューブポンプ、ダイヤフラムポンプ等のポンプ方式が適している。また図１の６は駆動するための電源、７は冷却液を収納するタンクである。【００２１】  本考案の一実施例は上述の構成からなるものであり、タンク７内には氷水等の冷却された液体を入れ、循環装置５の駆動により、吸込口７ａより冷却液が吸上げられ、循環装置５を経由して、配管チューブ４、衣服本体１に搭載された樹脂パッド３の流路を通り、タンク７内の排水口７ｂより液体が返ってくることで冷却液の循環を実施する。前記循環動作において冷却液が通っている樹脂パッド３の冷却部の接触側が人体または肌着に接触することにより冷却効果を実現するものである。【００２２】  本考案は、高温環境下における熱中症の保護、作業性の改善のための液体循環式冷却衣服であり、冷却実施部分となる、冷却液の流路において樹脂パッドを用いることで、従来技術の課題のコストＵＰとなるチューブやパイプ管の縫製または組み付け工程の削減でき、コストダウンが可能となる。また、用途に応じて冷却箇所の選定が可能となり、衣服より着脱も可能なため洗濯時の着脱や樹脂パッド交換のメンテナンス性を容易にすることが可能となるため、本考案の液体循環式冷却衣服は有用である。
【符号の説明】
【００２３】１    衣服本体
１ａ  衣服内側生地
２    樹脂パッド収納袋
３    樹脂パッド
４    配管チューブ
５    循環装置
６    電源
７    タンク
７ａ  吸込口
７ｂ  排水口
８    接続コネクタ
９    樹脂チューブ
１０  樹脂パッド冷却部の接触側の樹脂
１１  樹脂パッド衣服部の接触側の樹脂
１２  樹脂パッド内流路
【図１】
0003212335.tif 000003
【図２】
0003212335.tif 000004
【図３】
0003212335.tif 000005